【手続補正書】
【提出日】平成15年10月15日(2003.10.15)
【手続補正１】
【補正対象書類名】明細書
【補正対象項目名】特許請求の範囲
【補正方法】変更
【補正の内容】
【特許請求の範囲】
【請求項１】
インクが射出されるオリフィスを有するインクジェットプリンタ用の印刷ヘッドであって、
インク射出装置と、
前記インク射出装置を囲むインク射出室と、
内面と外面を有するオリフィス板であって、前記インク射出装置に対向する前記オリフィス板の前記内面から前記オリフィス板の前記外面に前記オリフィス板を通過して延び、インクがそこから射出される少なくとも１つのオリフィスを有し、前記少なくとも１つのオリフィスが長軸および短軸を含む楕円形状の前記外面に開口部を有し、前記長軸が前記短軸の２〜５倍の寸法であり、前記長軸および前記短軸の各々が前記外面に平行であるオリフィス板と、
前記インク射出室に結合され、前記射出室にインクを供給する方向に配向されるインク供給路と  を備えている印刷ヘッドにおいて、
前記長軸が前記射出室にインクを供給する前記インク供給路方向と直角な方向に対して０゜から４５゜の角度をなし、前記短軸が前記長軸とほぼ直角な角度をなしていることを特徴とする印刷ヘッド。
【請求項２】
前記少なくとも１つのオリフィスを有する前記オリフィス板は、前記内面における前記少なくとも１つのオリフィスの開口部よりも面積が小さく、それとほぼ同じ形状を有する前記外面における前記少なくとも１つのオリフィスの開口部をさらに備えていることを特徴とする、請求項１に記載の印刷ヘッド。
【請求項３】
前記少なくとも１つのオリフィスを有する前記オリフィス板は、前記外面における前記少なくとも１つのオリフィスの前記開口部と、前記内面における前記少なくとも１つのオリフィスの前記開口部とを結合する円弧状の断面形状をさらに備えていることを特徴とする、請求項２に記載の印刷ヘッド。
【請求項４】
前記少なくとも１つのオリフィスを有する前記オリフィス板は、前記外面における前記少なくとも１つのオリフィスの前記開口部と前記内面における前記少なくとも１つのオリフィスの前記開口部とを結合する湾曲した断面形状の穿孔をさらに備えていることを特徴とする、請求項１に記載の印刷ヘッド。
【請求項５】
インク射出室とインクがそこから射出されるオリフィスとを有するインクジェットプリンタ用の印刷ヘッドの動作方法であって、
インク射出室に結合する方向に配向されているインク供給路によって前記インク射出室にインクを導くステップと、
インクに速度を与えるステップと、
長軸および短軸を有し、前記長軸の寸法が前記短軸の寸法よりも２〜５倍大きく、前記長軸が前記インク供給路の前記配向方向にほぼ直角であり、前記短軸が前記インク供給路の前記配向方向に対してほぼ平行であり、楕円形状の開口部を有する少なくとも１つの非円形のオリフィスから前記インクを射出するステップと
を含む方法。
【請求項６】
インクがそこから射出されるオリフィスを有するインクジェットプリンタ用の印刷ヘッドを製造する方法であって、
基板上にインク射出装置を配置するステップと、
前記インク射出装置を囲むインク射出室を形成するステップと、
内面および外面を有するオリフィス板を通過し、前記オリフィス板の前記内面から前記オリフィス板の前記外面に少なくとも１つのオリフィスを延在させるステップであって、前記少なくとも１つのオリフィスが長軸および短軸を含む楕円形状の前記外面における開口部を有し、前記長軸の寸法が前記短軸の寸法よりも２〜５倍大きく、前記長軸および前記短軸の各々が前記外面に平行であるステップと、
前記内面が前記インク射出装置に対向して配置されるように、前記インク射出室に前記オリフィス板を被せるステップと、
前記インク射出室にインクを供給する方向にインク供給路を配向するステップと、
前記長軸を、前記射出室にインクを供給する前記インク供給路方向と直角な方向に対して０゜から４５゜の角度で、前記短軸を前記長軸とほぼ直角な角度に配置するステップと
を含む方法。
【請求項７】
前記内面における前記少なくとも１つのオリフィスの開口部よりも面積が小さく、それとほぼ同じ形状を有する前記外面における前記少なくとも１つのオリフィスの開口部を有する前記少なくとも１つのオリフィスを製造するステップをさらに含んでいることを特徴とする、請求項６に記載の方法。
【請求項８】
インクが射出されるオリフィスを有するインクジェットプリンタ用の印刷ヘッドであって、
インク射出装置と、
前記インク射出装置を囲むインク射出室と、
内面および外面を有するオリフィス板であって、前記インク射出装置に対向する前記オリフィス板の前記内面から前記オリフィス板の前記外面に前記オリフィス板を通過して延び、インクが射出される少なくとも１つのオリフィスを有し、前記少なくとも１つのオリフィスが長軸および短軸を含む楕円形状の前記外面に開口部を有し、前記長軸が前記短軸の２〜５倍の寸法であり、前記長軸および前記短軸の各々が前記外面に平行であるオリフィス板と、
前記インク射出室に結合され、前記射出室にインクを供給する方向に配向されるインク供給路と  を備えている印刷ヘッドにおいて、
前記長軸が前記射出室にインクを供給する前記インク供給路方向とほぼ平行に配置されている印刷ヘッド。
【請求項９】
前記少なくとも１つのオリフィスを有する前記オリフィス板は、前記内面における前記少なくとも１つのオリフィスの開口部よりも面積が小さく、それとほぼ同じ形状を有する前記外面における前記少なくとも１つのオリフィスの開口部をさらに備えていることを特徴とする、請求項８に記載の印刷ヘッド。
【請求項１０】
前記少なくとも１つのオリフィスを有する前記オリフィス板は、前記外面における前記少なくとも１つのオリフィスの前記開口部と前記内面における前記少なくとも１つのオリフィスの前記開口部とを結合する直線状の断面形状である前記少なくとも１つのオリフィスをさらに備えていることを特徴とする、請求項９に記載の印刷ヘッド。
【請求項１１】
インク射出室とインクがそこから射出されるオリフィスとを有するインクジェットプリンタ用の印刷ヘッドの動作方法であって、
前記インク射出室に結合する方向に配向されるインク供給路によって前記インク射出室にインクを導くステップと、
インクに速度を与えるステップと、
長軸および短軸を有し、前記長軸が前記短軸よりも寸法が２〜５倍大きく、前記インク供給路の前記配向方向にほぼ平行に配置され、断面楕円形状の開口部を有する少なくとも１つの非円形のオリフィスからインクを射出するステップと
を含む方法。
【請求項１２】
インクがそこから射出されるオリフィスを有するインクジェットプリンタ用の印刷ヘッドを製造する方法であって、
基板上にインク射出装置を配置するステップと、
前記インク射出装置を囲むインク射出室を形成するステップと、
内面および外面を有するオリフィス板を通過し、前記オリフィス板の前記内面から前記オリフィス板の前記外面に少なくとも１つのオリフィスを延在させるステップであって、前記少なくとも１つのオリフィスが長軸および短軸を含む楕円形状の前記外面における開口部を有し、前記長軸の寸法が前記短軸の寸法よりも２〜５倍大きく、前記長軸および前記短軸の各々が前記外面に平行であるステップと、
前記内面が前記インク射出装置に対向して配置されるように、前記インク射出室に前記オリフィス板を被せるステップと、
前記インク射出室にインクを供給する方向にインク供給路を配向するステップと、
前記長軸を、前記射出室にインクを供給するインク供給路方向にほぼ平行に配置するステップと
を含んでいる方法。
【請求項１３】
前記内面における前記少なくとも１つのオリフィスの開口部よりも面積が小さく、それとほぼ同じ形状を有する前記外面における前記少なくとも１つのオリフィスの開口部を有する前記少なくとも１つのオリフィスを製造するステップをさらに含んでいることを特徴とする、請求項１２に記載の方法。